(57)【要約】【課題】回転と倒伏の防止性能に優れた花卉用支柱を提供すること。【解決手段】  弾性及び／又は剛性を有する線状体からなり、軸心Ｌを同じくする上端側の長軸部１及び下端側の短軸部２と、長軸部１の下端から軸心Ｌに対して折曲角度θ１が略９０度で張り出す直交辺部３１を有し、この直交辺部３１の先端から軸心Ｌに対して折曲角度θ２が９０度以内で連なるクランク部３とを備える。【選択図】図１
0003125028.tif 000002
【実用新案登録請求の範囲】
【請求項１】
弾性及び／又は剛性を有する線状体からなり、軸心を同じくする上端側の長軸部及び下端側の短軸部と、前記長軸部の下端から前記軸心に対して折曲角度略９０度で張り出す直交辺部を有し、該直交辺部の先端から前記軸心に対して折曲角度９０度以内で連なるクランク部とを備えたことを特徴とする花卉用支柱。
【請求項２】
弾性及び／又は剛性を有する線状体からなり、軸心を同じくする上端側の長軸部及び下端側の短軸部と、前記長軸部の下方に、上下端が前記軸心に対して折曲角度９０度以内で連なる上部クランク部と、該上部クランク部と軸回転角度略９０度で、かつ、上下端が前記軸心に対して折曲角度９０度以内で連なる下部クランク部とを備えたことを特徴とする花卉用支柱。
【請求項３】
弾性及び／又は剛性を有する線状体からなり、軸心を同じくする上端側の長軸部及び下端側の短軸部と、前記長軸部の下方に、上下端が前記軸心に対して折曲角度９０度以内で連なる上部クランク部と、少なくとも軸心を一周し、かつ、その上下端が前記軸心に連なる螺旋部を備えたことを特徴とする花卉用支柱。
【請求項４】
上部クランク部が、前記軸心に対して折曲角度略９０度で張り出す直交辺部を有することを特徴とする請求項２又は３記載の花卉用支柱。
【請求項５】
断面が丸形であることを特徴とする請求項１、２、３又は４記載の花卉用支柱。
【請求項６】
メッキ、塗装又は被覆により防食加工された金属線からなることを特徴とする請求項１、２、３、４又は５記載の花卉用支柱。
【請求項７】
鉄線からなることを特徴とする請求項１、２、３、４、５又は６記載の花卉用支柱。
【請求項８】
伸線加工後に焼き鈍しされていない鉄線からなることを特徴とする請求項７記載の花卉用支柱。
【請求項９】
炭素含有量が３０以上の鉄線からなることを特徴とする請求項８記載の花卉用支柱。
【請求項１０】
少なくとも上端にキャップ又は塗膜を備えたことを特徴とする請求項１、２、３、４、５、６、７、８又は９記載の花卉用支柱。
【請求項１１】
キャップ又は塗膜を長軸部と同系に着色したことを特徴とする請求項１０記載の花卉用支柱。
【考案の詳細な説明】
【技術分野】
【０００１】
本考案は、ガーデニングを安心してより楽しむために、その下部を鉢内の培土や庭先等の土中に埋設して使用する花卉用支柱に関するものである。
【背景技術】
【０００２】
古来より、花卉を観賞するため、その花卉の幹、枝、花弁等を支える管材や線材からなる支柱は、多種多様に一般化され、数多く使用されている。その中でも、鉢栽培が可能な小形の観賞用花卉や草花には、防錆処理された鉄線が好適に使用されている。
【０００３】
このような観賞花卉用鉄線支柱として、より具体的には、合成樹脂で被覆された金属線をクランク状に形成し、長軸部と横軸部と短軸部とで構成した園芸支柱（特許文献１参照）や、合成樹脂で被覆された細長い鋼材で、支柱下部の埋設される部分に出っ張り部を形成し、出っ張り部が植え込み材料に埋設された状態になるまで押し込む植物用支柱（特許文献２参照）がある。
【０００４】
しかしながら、特許文献１に開示されている園芸支柱は、横軸部により接続された長軸部と短軸部の軸心が合致していないため、短軸部を埋設された状態になるように押し込む際に長軸部にかかる力で土中の短軸部を軸に回転するおそれがあり、これに加えて座屈力にも弱い形状であり、一方、特許文献２に開示されている植物用支柱は、くの字形の出っ張り部が、支柱軸線から横に一方向のみに出っ張ったクランクであることから、土中の短軸部を軸に回転するおそれはないものの、出っ張り方向にかかる倒伏付勢力の阻止に問題を残している。
【特許文献１】実開平６−３８４７７号公報
【特許文献２】実開平７−１１１３号公報
【考案の開示】
【考案が解決しようとする課題】
【０００５】
本考案は、上記植物用支柱等の有する問題点に鑑みてなしたものであり、回転と倒伏の防止性能に特に優れた花卉用支柱を提供することを目的とする。
【課題を解決するための手段】
【０００６】
上記目的を達成するため、本第１考案の花卉用支柱は、弾性及び／又は剛性を有する線状体からなり、軸心を同じくする上端側の長軸部及び下端側の短軸部と、前記長軸部の下端から前記軸心に対して折曲角度略９０度で張り出す直交辺部を有し、該直交辺部の先端から前記軸心に対して折曲角度９０度以内で連なるクランク部とを備えたことを特徴とする。
【０００７】
また、同じ目的を達成するため、本第２考案の花卉用支柱は、弾性及び／又は剛性を有する線状体からなり、軸心を同じくする上端側の長軸部及び下端側の短軸部と、前記長軸部の下方に、上下端が前記軸心に対して折曲角度９０度以内で連なる上部クランク部と、該上部クランク部と軸回転角度略９０度で、かつ、上下端が前記軸心に対して折曲角度９０度以内で連なる下部クランク部とを備えたことを特徴とする。
【０００８】
また、同じ目的を達成するため、本第３考案の花卉用支柱は、弾性及び／又は剛性を有する線状体からなり、軸心を同じくする上端側の長軸部及び下端側の短軸部と、前記長軸部の下方に、上下端が前記軸心に対して折曲角度９０度以内で連なる上部クランク部と、少なくとも軸心を一周し、かつ、その上下端が前記軸心に連なる螺旋部を備えたことを特徴とする。
【０００９】
また、本第２及び第３考案の花卉用支柱において、上部クランク部が、前記軸心に対して折曲角度略９０度で張り出す直交辺部を有するようにすることができる。
【００１０】
また、断面が丸形の線状体を用いることができる。
【００１１】
また、メッキ、塗装又は被覆により防食加工された金属線からなる線状体を用いることができる。
【００１２】
また、鉄線からなる線状体を用いることができる。
【００１３】
また、伸線加工後に焼き鈍しされていない鉄線からなる線状体を用いることができる。
【００１４】
また、炭素含有量が３０以上の鉄線からなる線状体を用いることができる。
【００１５】
また、少なくとも上端にキャップ又は塗膜を備えることができる。
【００１６】
また、キャップ又は塗膜を長軸部と同系に着色することができる。
【考案の効果】
【００１７】
本第１考案の花卉用支柱によれば、弾性及び／又は剛性を有する線状体からなり、軸心を同じくする上端側の長軸部及び下端側の短軸部と、前記長軸部の下端から前記軸心に対して折曲角度略９０度で張り出す直交辺部を有し、該直交辺部の先端から前記軸心に対して折曲角度９０度以内で連なるクランク部とを備えることにより、短軸部を埋設された状態になるように押し込む際に長軸部にかかる力で土中の短軸部を軸に回転することがなく、長軸部にかかる倒伏付勢力を阻止し、花卉の地上部全体を確実に支えて回転と倒伏を防止することができ、また、長軸部と短軸部の軸心同士が直線状に連なり耐座屈力が強く、直交辺部を押し込むことによって土中に容易に差し込むことができる。
【００１８】
また、本第２考案の花卉用支柱によれば、弾性及び／又は剛性を有する線状体からなり、軸心を同じくする上端側の長軸部及び下端側の短軸部と、前記長軸部の下方に、上下端が前記軸心に対して折曲角度９０度以内で連なる上部クランク部と、該上部クランク部と軸回転角度略９０度で、かつ、上下端が前記軸心に対して折曲角度９０度以内で連なる下部クランク部とを備えることにより、また、本第３考案の花卉用支柱によれば、弾性及び／又は剛性を有する線状体からなり、軸心を同じくする上端側の長軸部及び下端側の短軸部と、前記長軸部の下方に、上下端が前記軸心に対して折曲角度９０度以内で連なる上部クランク部と、少なくとも軸心を一周し、かつ、その上下端が前記軸心に連なる螺旋部を備えることにより、長軸部にかかる倒伏付勢力を土中の全回転方向で阻止し、花卉の地上部全体を確実に支えて回転と倒伏を防止することができ、また、長軸部と短軸部の軸心同士が直線状に連なり耐座屈力が強くすることができる。
【００１９】
また、上部クランク部が、前記軸心に対して折曲角度略９０度で張り出す直交辺部を有するようにすることにより、直交辺部を押し込むことによって土中に容易に差し込むことができる。
【００２０】
また、断面が丸形の線状体を用いたり、メッキ、塗装又は被覆により防食加工された金属線からなる線状体を用いたり、鉄線、特に、伸線加工後に焼き鈍しされていない鉄線や炭素含有量が３０以上の鉄線からなる線状体を用いることにより、強度、耐久性、加工性、経済性に優れ、花卉を傷付けにくい花卉用支柱を得ることができる。
【００２１】
また、少なくとも上端にキャップ又は塗膜を備え、さらに、キャップ又は塗膜を長軸部と同系に着色することにより、使用環境に応じ、意匠性の高い花卉用支柱を得ることができる。
【考案を実施するための最良の形態】
【００２２】
以下、本考案の花卉用支柱の実施形態を、図１〜図５の図面に基づいて説明する。
【実施例１】
【００２３】
図１に本考案の花卉用支柱の第１実施例を示す。
この花卉用支柱は、弾性及び／又は剛性を有する線状体からなり、軸心Ｌを同じくする上端側の長軸部１及び下端側の短軸部２と、長軸部１の下端から軸心Ｌに対して折曲角度θ１が略９０度で張り出す直交辺部３１を有し、この直交辺部３１の先端から軸心Ｌに対して折曲角度θ２が９０度以内で連なるクランク部３とを備えるようにしている。
【００２４】
本実施例において、クランク部３は、図１（ａ）及び（ｂ）に示すように、直交辺部３１と、この直交辺部３１の先端から軸心Ｌと平行に延びる平行部３２と、この平行部３２の下端から軸心Ｌに対して折曲角度θ２が９０度以内（本実施例においては、略９０度）で連なる下辺部３３とで構成するようにしたり、図１（ｃ）に示すように、直交辺部３１と、この直交辺部３１の先端から軸心Ｌに対して折曲角度θ２が９０度以内（本実施例においては、約２５度）で連なる傾斜辺部３４とで構成するようにしているが、クランク部３の形状は、任意の角形状、アーチ形状等、特に限定されるものでない。
【００２５】
この花卉用支柱は、短軸部２を埋設された状態になるように押し込む際に長軸部１にかかる力で土中の短軸部２を軸に回転することがなく、長軸部１にかかる倒伏付勢力を阻止し、花卉の地上部全体を確実に支えて回転と倒伏を防止することができ、また、長軸部１と短軸部２の軸心Ｌ同士が直線状に連なり耐座屈力が強く、直交辺部３１を押し込むことによって土中に容易に差し込むことができる。
【実施例２】
【００２６】
図２に本考案の花卉用支柱の第２実施例を示す。
この花卉用支柱は、上記第１実施例の花卉用支柱と同様、弾性及び／又は剛性を有する線状体からなり、軸心Ｌを同じくする上端側の長軸部１及び下端側の短軸部２と、長軸部１の下端から軸心Ｌに対して折曲角度θ１が略９０度で張り出す直交辺部３１を有し、この直交辺部３１の先端から軸心Ｌに対して折曲角度θ２が９０度以内で連なるクランク部（上部クランク部）３とを備えるとともに、このクランク部３の下端から、クランク部３と軸回転角度略９０度で、かつ、その上下端が軸心Ｌに対して折曲角度θ３、θ４が９０度以内で連なるクランク部（下部クランク部）４を備えるようにしている。
【００２７】
本実施例において、クランク部（下部クランク部）４は、図２（ｂ）及び（ｃ）に示すように、上下端が軸心Ｌに対して折曲角度θ３、θ４が９０度以内（本実施例においては、約３０度）で連なる２つの傾斜辺部４１、４２で構成するようにしているが、クランク部（下部クランク部）４の形状は、任意の角形状、アーチ形状等、特に限定されるものでない。
【００２８】
この花卉用支柱は、上記第１実施例の花卉用支柱の作用効果に加え、長軸部１にかかる倒伏付勢力を土中の全回転方向で阻止し、花卉の地上部全体を確実に支えて回転と倒伏を防止することができる。
【実施例３】
【００２９】
図３に本考案の花卉用支柱の第３実施例を示す。
この花卉用支柱は、上記第１実施例の花卉用支柱と同様、弾性及び／又は剛性を有する線状体からなり、軸心Ｌを同じくする上端側の長軸部１及び下端側の短軸部２と、長軸部１の下方に、上下端が軸心Ｌに対して折曲角度９０度以内で連なる上部クランク部４ａと、この上部クランク部４ａと軸回転角度略９０度で、かつ、上下端が軸心Ｌに対して折曲角度９０度以内で連なる下部クランク部４ｂとを備えるようにしている。
【００３０】
本実施例において、上部クランク部４ａ及び下部クランク部４ｂは、上記第２実施例の花卉用支柱のクランク部（下部クランク部）４と同様、上下端が軸心Ｌに対して折曲角度θ３、θ４が９０度以内（本実施例においては、約３０度）で連なる２つの傾斜辺部４１、４２で構成するようにしているが、上部クランク部４ａ及び下部クランク部４ｂの形状は、任意の角形状、アーチ形状等、特に限定されるものでない。
【００３１】
また、本実施例において、上部クランク部４ａ及び下部クランク部４ｂは、連続して形成するようにしたが、これに限定されず、図４に示す第３実施例の変形実施例のように、上部クランク部４ａと下部クランク部４ｂの間に、長軸部１及び短軸部２と軸心Ｌを同じくする中間軸部４ｃを形成したり、上部クランク部４ａと下部クランク部４ｂの間に、上部クランク部４ａ又は下部クランク部４ｂと軸回転角度略９０度で、かつ、上下端が軸心Ｌに対して折曲角度９０度以内で連なる中部クランク部（図示省略）を形成することもできる。
【００３２】
この花卉用支柱は、長軸部１にかかる倒伏付勢力を土中の全回転方向で阻止し、花卉の地上部全体を確実に支えて回転と倒伏を防止することができ、また、長軸部１と短軸部２の軸心Ｌ同士が直線状に連なり耐座屈力が強くすることができる。
【実施例４】
【００３３】
図５に本考案の花卉用支柱の第４実施例を示す。
この花卉用支柱は、上記第１実施例の花卉用支柱と同様、弾性及び／又は剛性を有する線状体からなり、軸心Ｌを同じくする上端側の長軸部１及び下端側の短軸部２と、長軸部１の下端から軸心Ｌに対して折曲角度θ１が略９０度で張り出す直交辺部３１を有し、この直交辺部３１の先端から軸心Ｌに対して折曲角度θ２が９０度以内で連なるクランク部３とを備えるとともに、クランク部３の下端から、少なくとも軸心Ｌを一周し（本実施例においては、約３６０度）、かつ、その上下端が軸心Ｌに連なる螺旋部５を備えるようにしている。
なお、螺旋部５の上下端は、軸心Ｌに対して折曲角度が９０度以内で連なるようにする。
また、螺旋部５の水平方向に張り出す寸法は、長軸部１にかかる倒伏付勢力の大きさ等に応じて、図５（ａ）及び（ｂ）に示すように大きくしたり、図５（ｃ）に示すように小さくすることができる。
【００３４】
本実施例において、クランク部３及び螺旋部５は、連続して形成するようにしたが、これに限定されず、クランク部３と螺旋部５の間に、長軸部１及び短軸部２と軸心Ｌを同じくする中間軸部（図示省略）を形成したり、クランク部３を、上記第２実施例の花卉用支柱のクランク部（下部クランク部）４と同様、上下端が軸心Ｌに対して折曲角度θ３、θ４が９０度以内で連なる２つの傾斜辺部で構成したり、角形状、アーチ形状等、任意の形状に形成することができる。
【００３５】
この花卉用支柱は、上記第１実施例の花卉用支柱の作用効果に加え、長軸部１にかかる倒伏付勢力を土中の全回転方向で阻止し、花卉の地上部全体を確実に支えて回転と倒伏を防止することができる。
【００３６】
一方、花卉用支柱は、その使用上、花卉用支柱の地上に露出した部分、すなわち、花卉用支柱の長軸部１は、保護すべき花卉植物の花茎に添うように適当に曲げたり、花卉用支柱１と花茎とを束ねて針金入りテープ等の結束部材で括り付けたりする観点で、地下部では静止性、地上部では花卉全体の保持力が要求され、加えて経済面においても安価で、使い易さが要求され、他方、ガーデニングにおいては環境との調和が重要視されている。
【００３７】
このため、上記第１実施例〜第４実施例の花卉用支柱において、花卉用支柱を構成する線状体に、断面が丸形の線状体を用いたり、メッキ、塗装又は被覆により防食加工された金属線からなる線状体を用いたり、鉄線、特に、伸線加工後に焼き鈍しされていない鉄線や炭素含有量が３０以上の鉄線からなる線状体を用いるようにし、これにより、強度、耐久性、加工性、経済性に優れ、花卉を傷付けにくい花卉用支柱を得ることができる。
この場合、花卉用支柱を構成する線状体の被覆には、加工性、耐食性、着色性の良さから、熱可塑性で汎用性の高い、ポリビニル系の塩化ビニル、酢酸ビニル等、ポリオレフィン系のポリエチレン、ポリプロピレン等の合成樹脂を好適に使用でき、また、これらの合成樹脂の混合体、これらの合成樹脂とエチレン−酢酸ビニルの共重合体類やエラストマー類、変性ポリオレフィン類等との混合物を好適に使用でき、中でも、公害要因が少ないことからポリオレフィン系の合成樹脂をより好適に使用できる。
【００３８】
また、花卉用支柱の長軸部１の少なくとも上端にキャップ又は塗膜を備え、さらに、キャップ又は塗膜を長軸部と同系に着色するようにし、これにより、使用環境に応じ、意匠性の高い花卉用支柱を得ることができる。
【００３９】
以上、本考案の花卉用支柱について、複数の実施例に基づいて説明したが、本考案は上記実施例に記載した構成に限定されるものではなく、各実施例に記載した構成を適宜組み合わせる等、その趣旨を逸脱しない範囲において適宜その構成を変更することができる。
【産業上の利用可能性】
【００４０】
また、本考案の花卉用支柱は、回転と倒伏の防止性能に優れていることから、花卉用支柱の用途に広く使用することができる。
【図面の簡単な説明】
【００４１】
【図１】本考案の花卉用支柱の第１実施例を示し、（ａ）は正面図、（ｂ）はクランク部の拡大図、（ｃ）はクランク部の変形例の拡大図である。
【図２】本考案の花卉用支柱の第２実施例を示し、（ａ）は正面図、（ｂ）は側面図、（ｃ）は下部クランク部の拡大図である。
【図３】本考案の花卉用支柱の第３実施例を示し、（ａ）は正面図、（ｂ）は側面図である。
【図４】本考案の花卉用支柱の第３実施例の変形実施例を示し、（ａ）は正面図、（ｂ）は側面図である。
【図５】本考案の花卉用支柱の第４実施例を示し、（ａ）は正面図、（ｂ）は平面図、（ｃ）は異なる形態の正面図である。
【符号の説明】
【００４２】
１    長軸部
２    短軸部
３    クランク部
３１  直交辺部
３２  平行部
３３  下辺部
３４  傾斜辺部
４    クランク部
４ａ  上部クランク部
４ｂ  上部クランク部
４ｃ  中間軸部
４１  傾斜辺部
４２  傾斜辺部
５    螺旋部
【図１】
0003125028.tif 000003
【図２】
0003125028.tif 000004
【図３】
0003125028.tif 000005
【図４】
0003125028.tif 000006
【図５】
0003125028.tif 000007